(57)【特許請求の範囲】
【請求項１】
テープ基材における一端寄り部位の片面に第１粘着部を、前記テープ基材における他端寄り部位の他面に第２粘着部を各々設け、前記テープ基材を、前記第２粘着部がテープ基材における一端寄り部位の他方の面に重なるように折り重ね、かつ前記テープ基材における一端寄り部位の他方の面に、前記第２粘着部をテープ基材の一端寄り部位から剥離可能にするための離型部を有する粘着テープであって、前記第２粘着部をテープ基材における一端寄り部位の他方の面から剥離するとき、該第２粘着部が剥離不可能な部位を有することを特徴とする粘着テープ。
【請求項２】
剥離不可能な部位が、離型部の位置を第２粘着部より短くして、テープ基材と第２粘着部とを接着することにより形成されていることを特徴とする請求項１記載の粘着テープ。
【請求項３】
請求項１又は２記載の粘着テープの第１粘着部を、被着体に貼着したことを特徴とする粘着テープを用いた止着構造。
【発明の詳細な説明】
【０００１】
【産業上の利用分野】
本発明は、例えば、使い捨てオムツにおけるファスナーテープ、処理用テープ、エプロン固定用テープなどのように、一方の部材を他方の部材に固定したり、二つの部材の相互間を接続したりするために使用する粘着テープ、及びこの粘着テープを用いた止着構造に関するものである。
【０００２】
【従来の技術】
従来、例えば使い捨てオムツにおけるファスナーテープとしては、例えば実開昭６１−９４５３６号に記載され、かつ図８に示す如く、テープ基材２１における一端寄り部位２１ａの一方の面に、オムツ１における後身部のトップシート２に固着するための第１粘着部２２を設ける一方、テープ基材２１における他端寄り部位２１ｂの他方の面に、オムツ１における前身部に設けたフロンタルテープ２３に貼着するための第２粘着部２４を設けたファスナーテープ２０が知られている。
【０００３】
このファスナーテープには、オムツを着用した幼児等が歩行したり手で触ったりすることにより、ファスナーテープを剥がそうとする外力が作用し、このためオムツの使用中に、ファスナーテープがトップシート２から剥がれてしまうという問題があった。  また、オムツを付けなおすためにテープ基材２１の他端部寄り部位２１ｂをフロンタルテープ２３から剥がすに際し、その引っ張り力により、第１粘着部２２がトップシート２から剥がれてしまうという問題もあった。
特に、このトップシート２は、一般に不織布にて形成されていて、ファスナーテープ２０との接着性が悪いため、上記問題が顕著に現れていた。
【０００４】
【発明が解決しようとする課題】
これに対して、ファスナーテープ２０の第１粘着部２２又は第２粘着部２４の粘着剤の厚さ全体にあるいは部分的に厚くすることにより、剥離強度を大きくすることが提案されているが（例えば特開平５−９３１７４号）、粘着剤の使用量が増大して、製造コストがアップするばかりでなく、テープをロール状に巻いたときの巻き形状が悪くなり、使用中くずれてしまう恐れがあるという問題を有していた。
【０００５】
本発明は、このような問題に鑑みなされたもので、粘着剤の厚さを厚くすることなく、粘着テープの剥離強度を向上でき、被着体から剥がれにくい粘着テープを提供する。
【０００６】
【発明の構成及び作用】
即ち本発明は、テープ基材における一端寄り部位の片面に第１粘着部を、前記テープ基材における他端寄り部位の他面に第２粘着部を各々設け、前記テープ基材を、前記第２粘着部がテープ基材における一端寄り部位の他方の面に重なるように折り重ね、かつ前記テープ基材における一端寄り部位の他方の面に、前記第２粘着部をテープ基材の一端寄り部位から剥離可能にするための離型部を有する粘着テープであって、前記第２粘着部をテープ基材における一端寄り部位の他方の面から剥離するとき、該第２粘着部が剥離不可能な部位を有することを特徴とする粘着テープに関する。
【０００７】
一般に、粘着テープが外力によって引き剥がされる場合、第１粘着部の箇所で引き剥がされる場合には、当該第１粘着部の一端から他端に向けて剥離が進行し、また第２粘着部の一端から他端に向けて剥離が進行するというように、、粘着部の一端から他端に向けて剥離が進行していく。  換言すると、粘着部が、その一端から他端に向けて順次相手部材から離脱していく。
【０００８】
本発明においては、テープ剥離の際に、最初に剥離外力が作用する端部に、剥離不可能な部位を設けることにより、かかる部位に剪断力がかかり他の部位に剥離が及ぶことがない。  従って、粘着部のうち、他の部位の剥離強度が端部より小さくても、粘着部の他の部位が被着体から剥がれることはなく、粘着テープ全体としての剥離強度を飛躍的に向上することができるのである。
【０００９】
以下、本発明の粘着テープ及びその止着構造の一例として、図面に基づいて使い捨てオムツに用いた場合について説明するが、本発明は生理用ナプキンなど他の使い捨て吸収物品、エプロン固定用等に用いることもでき、その用途は何ら限定されるものではない。
【００１０】
図１は使い捨てオムツ１の各部位を示す説明図であって、２はベルト部のトップシート、３はベルト部のバックシート、５は本発明のファスナーテープ、４はフロンタルテープである。  図２は、本発明のファスナーテープ５の斜視図、図３はその断面図であり、テープ基材６は、その長手方向に沿った略中間部を中心にして二つ折り状に折り重ねられ、テープ基材６における一端寄り部位６ａの片面（外面）に、トップシート２に固定するための第１粘着部７が設けられ、他端寄り部位６ｂの他面（内面）に、フロンタルテープ４に貼着するための第２粘着部８が設けられている。  また、テープ基材６における一端寄り部位６ａの他面（内面）には、前記第２粘着部８を一端寄り部位６ａから容易に剥離できるように第１離型部９が設けられている。  この第１離型部９は、第２粘着部８の基材６の折り曲げ箇所に近接した一端部８ａが、テープ基材６と剥離不可能に接着して剥離不可能な部位８ａを形成するように、第２粘着部８より短く設けられている。  かかる剥離不可能な部位８ａを設けることにより、掴み部１０を引っ張って、第２粘着部８を一端寄り部位６ａから引き剥がす際、第１粘着部７の端部７ａ付近に剪断力がかかり、強力な剥離強度が得られるのである。
【００１１】
本発明においては、第２粘着部８の剥離不可能な部位８ａを形成する手段は、特に限定されず、上記の離型部９を第２粘着部８より短くすることに限らず、例えば離型部９の一部をコロナ放電処理等により離型効果を失わせて、第２粘着部８と離型部９とを剥離不可能に接着することもできる。  また、粘着テープの外側から８ａの部位をヒートシールして第２粘着部８と離型部９とを接着して剥離不可能とすることもできる。
【００１２】
また、テープ基材６の他端寄り部位６ｂの外面に、第２離型部１１を設けることにより、図６に示すように粘着テープ１２をロール状に巻回体に形成したとき、第１粘着部７をテープ基材６の他端寄り部位６ｂから容易に剥離して巻き戻しできるようにすることもできる。  また、図３の如く、テープ基材６の他端寄り部位６ｂの一端を、第２粘着部８を設けない非粘着部（ドライエッジ）とすることにより、６ｂを６ａから剥がす際の掴み部１０とすることもできる。
【００１４】
本発明においては、前記粘着テープの第１粘着部７を、任意の被着体に貼着して粘着テープを用いた止着構造が得られる。  かかる被着体としては、特に限定されないが、例えば不織布等の粗目状素材製の部材、具体的には、使い捨てオムツにおけるトップシート、バックシートなどが挙げられる。  本発明では、前記の如く、第２粘着部８に剥離不可能な部位８ａを設けたため、第１粘着部７の一端部７ａにおいて剥離強度が大きくなり、第１粘着部７がトップシート２などの被着体から剥がれることなく、強固な止着が得られるのである。
【００１５】
なお、上記の剥離不可能な部位の長さは、被着体の材質や用途を考慮して、適宜設定することができるが、例えば被着体として不織布製等の粗目状部材に強固に止着し得る剥離強度を得るには、剥離不可能な部位８ａの長さを１ｍｍ以上、望ましくは３ｍｍ以上とするのが好ましい。
【００１６】
また、本発明においては、図４に示す如く、離型部９の一部が存在しない欠落部１３を設けることにより、テープ使用時まで第２粘着部８と一端寄り部位６ａとを仮着でき、必要でないときに他端寄り部位６ｂが一端寄り部位６ａより剥離するのを防ぐことができる。
【００１７】
本発明の粘着テープの構成部材の材質は、何ら限定されないが、例えば、基材テープ６としては、ポリプロピレン、ポリエチレン、ポリエチレンテレフタレートフィルムなどが、粘着部７及び８としては、アクリル系、ポリオレフィン系、ゴム系等の感圧性接着剤が、離型部９及び１０としては、シリコーン系、長鎖アルキル系離型剤を挙げることができる。
【００１８】
本発明の粘着テープを使い捨て紙オムツの固定に使用する場合、図１に示す如く、ファスナーテープ５がその第１粘着部７により固着されたオムツ１を幼児に当てて、図２の一点鎖線で示すように、テープ基材６の他端寄り部位６ｂを一端寄り部位６ａから引き剥がして、図５の如く、第２粘着部８を介してフロンタルテープ４に貼着することにより、オムツ１を幼児等に装着する。
そして、オムツ１を幼児等に装着した状態において、幼児等が動き回ったり、トップシート２に触れたり、あるいは、オムツ１を付けなおすためにファスナーテープ５をフロンタルテープ４から何度も剥がしたりするに際して、テープ基材６に引っ張り力が作用して、第１粘着部７にその一端部７ａから他端部に向けて引き剥がそうとする外力が作用する。  しかし、本発明においては、第２粘着部８における一端部を剥離不可能な部位８ａとしたことより、第１粘着部７の一端部７ａとトップシート２における接着部位に剪断力がかかり、第１粘着部７の一端部７ａにおいて剥離強度が大きくなる。  そして、第１粘着部７は、その一端部７ａがトップシート２から剥がれない限り、第１粘着部７の他の部位がトップシート２から剥がれることはなく、第１粘着部７の厚みを厚く形成しなくても、第１粘着部７のトップシート２からの剥離強度を格段に向上でき、ファスナーテープ５とトップシート２とを強固に止着できる。
【００１９】
図６は、本発明の粘着テープ１２を、その幅方向に多数連続した状態、すなわち、テープ基材６、両粘着部７、８及び両離型部９、１０が連続した状態の連続体を形成して、これを巻くことによりロールを形成したものであり、使用時にはこのロールを巻き戻し、長手方向に沿って適当間隔で切断することにより、本発明の粘着テープ１２を得ることができる。  また予め適当間隔でミシン目を入れておき、一枚ずつ粘着テープ１２を取り出せるように構成することもできる。
【００２０】
上記では、本発明の粘着テープをオムツのファスナーテープに適用した場合について説明したが、本発明はその用途に何ら限定されることなく、例えば図７の如く、はかせるタイプのオムツ（パンツオムツ）を使用後まるめて捨てる際の処理用テープ、使い捨てエプロンのファスナーテープなどに好適に用いることができる。
【００２１】
【発明の効果】
本発明においては、第２粘着部の一端部を剥離不可能とすることにより、粘着テープの被着体に対する剥離強度を向上できるため、粘着テープが被着体から剥がれることがなく、また粘着部を厚く形成する必要がないため、製造コストが増大することもなく、テープ巻き形状も良好であるという効果がある。
【図面の簡単な説明】
【図１】本発明の粘着テープを紙オムツに使用した状態を示す説明図である。
【図２】本発明の粘着テープの実例を示す斜視図である。
【図３】本発明の粘着テープの実例を示す断面図である。
【図４】本発明の粘着テープの実例を示す断面図である。
【図５】本発明の粘着テープを用いた止着構造を示す断面図である。
【図６】本発明の粘着テープを巻き回したロール体を示す説明図である。
【図７】本発明の粘着テープをパンツタイプの紙オムツに使用した状態を示す説明図である。
【図８】従来の粘着テープを用いた止着構造示す断面図である。
【符号の説明】
１    オムツ本体
３    バックシート
４    フロンタルテープ
５    ファスナーテープ
６    テープ基材
６ａ  一端寄り部位
６ｂ  他端寄り部位
７    第１粘着部
８    第２粘着部
８ａ  剥離不可能な部位
９    第１離型部
【図１】
0003584994.tif 000002
【図２】
0003584994.tif 000003
【図３】
0003584994.tif 000004
【図４】
0003584994.tif 000005
【図５】
0003584994.tif 000006
【図６】
0003584994.tif 000007
【図７】
0003584994.tif 000008
【図８】
0003584994.tif 000009